(57)【要約】【課題】極めて簡単な使用でケーキ等の横倒れを防止し、広い保管スペースを必要とせず、ケーキの販売コストを高める不都合も解消する倒れ防止具を提供する。【解決手段】収容箱Ｐの底部Ｐ１に載置する載置片１を形成する。載置片１の上部に収納物Ｑを載置するように設ける。該載置片１の隣接する一対の側縁部から立ち上がる一対の支持片２を形成する。平面Ｌ字状を成した支持片２で収納物Ｑの側面Ｑ２を支持するように構成する。載置片１と支持片２との配置位置を変更自在に設ける。載置片１の高さと前記支持片２の高さとが異なるように構成する。【選択図】  図１
2019182485.tif 000002
【特許請求の範囲】
【請求項１】
収容箱の底部に載置する載置片と、該載置片の隣接する一対の側縁部から立ち上がる一対の支持片とで枠体状に形成され、収容箱の底部に載置した載置片の上部に収納物を載置すると共に、平面Ｌ字状を成した一対の支持片で収納物の側面を支持するように構成したことを特徴とする倒れ防止具。
【請求項２】
前記載置片と前記支持片との配置位置を変更自在に設けると共に、変更後の支持片の高さが変更自在になるように構成した請求項１記載の倒れ防止具。
【請求項３】
前記倒れ防止具は紙材を折りたたんで形成され、又は合成樹脂材で一体に形成され、前記収容箱の底部に接着自在な固定具で固定されるように構成した請求項１又は２記載の倒れ防止具。
【請求項４】
前記倒れ防止具は台紙を折りたたんで形成され、該台紙は、折曲部を介して折り曲げ自在に設けられ横の長さが異なる左右一対の支持片と、各支持片の下側縁部に設けられた折曲縁から屈曲自在に延長された左右一対の載置片とで形成され、該載置片を重ねたときに係合する切欠係合部を各載置片に形成した請求項１又は２記載の倒れ防止具。
【発明の詳細な説明】
【技術分野】
【０００１】
本発明は、ケーキ等の包装箱の中に配置することで、収納したケーキ等の横倒れを防止するのに有効な倒れ防止具に関する。
【背景技術】
【０００２】
菓子などを個別に収納するため、箱の中に配置する中仕切が特許文献１に記載されている。この中仕切りは、品物を二箇所に収納するようにした仕切板の一部を折りたたむことで中仕切りの収納面積を広げ、収納物に応じて収納面積を変更可能にしたものである。
【０００３】
また、箱の底部に切欠を形成し、この切欠に仕切り板を差し込んで固定する包装箱が特許文献２に記載されている。この包装箱によると、切欠に差し込んだ仕切り板は、箱の底部に形成した保持片に固定するもので、特に倒れにくい仕切り板を構成したものである。
【先行技術文献】
【特許文献】
【０００４】
【特許文献１】特許第４８６５８４７号公報
【特許文献２】特許第４５９６９８４号公報
【発明の概要】
【発明が解決しようとする課題】
【０００５】
特許文献１及び特許文献２に記載されている従来の仕切り板は、いずれも、包装箱の底部に配置して使用する。ところが、これらの仕切り板は、予め決められた位置に配置されており、収納物の位置を変更することはできない構成であった。
【０００６】
すなわち、特許文献１の仕切り板は、仕切板の一部を折りたたむことで収納面積を変えることはできても、収納物の収納位置を変更することは困難である。
【０００７】
また、特許文献２の仕切り板においても、独立した仕切り板を箱の底板に着脱自在に装着するので、仕切り板を設置する位置は、箱の底板に形成されている切欠の位置に制限されている。
【０００８】
そのため、これら従来の仕切り板は、例えば洋菓子店でケーキを選択して包装箱に収納する際に、大きさや数が異なるケーキの収納位置を変更しながら横倒れを防止する仕切り板として使用することはできない構成であった。
【０００９】
ケーキ等を収納する包装箱は、ケーキの横倒れを防止する為、個数に応じて箱のサイズを変更し、できるだけ包装箱内に隙間ができないようにしている。それでも、ケーキの数が多くなり、あるいはケーキの大きさや形状などによって、隙間が生じてケーキが倒れ易くなる虞がある。そこで、従来では、ケーキの横倒れを防止する各種の倒れ防止具が使用されている。
【００１０】
たとえば、帯状の紙材を任意のサイズに丸めて使用する倒れ防止具として、ケーキ間にできた隙間を塞ぐケーキスペーサーや、ケーキの周囲を囲んで保持するケーキガードなどがある。また、ケーキの底部を支持する倒れ防止具として、収容箱の底部に載置する中底を設け、この中底に各ケーキの底部をはめ込む凹部を形成したボックス状のトレイなども用いられている。
【００１１】
ところが、これら従来の倒れ防止具では、作業性やコスト上の課題があった。すなわち、ケーキスペーサーやケーキガードなどのように、帯状の紙材を隙間のサイズに丸めて使用するものでは、包装箱に入れるケーキの数やサイズ等によって異なる隙間に合わせて帯状の紙材を丸める必要がある。したがって、この帯状の紙材を隙間のサイズに合わせて丸める作業に多くの手間がかかり、包装作業の遅延化を招いていた。
【００１２】
一方、ボックス状のトレイでは、各ケーキのサイズや底部形状に合わせてトレイを形成する必要があるので、極めて多くの種類が必要になる。そのため、数多くのトレイを保管しておく広い保管スペースが必要になっている。しかも、このトレイに収納可能な収納物の数やサイズは予め決められているので、任意の収納物を必要な数に合わせて収納できるものではなかった。
【００１３】
そこで本発明は上述の課題を解消すべく創出されたもので、包装箱に収納するケーキ等の横倒れを防止する際に、極めて簡単に使用することができ、しかも、必要な数に合わせて合理的な収納が可能になる倒れ防止具の提供を目的とするものである。
【課題を解決するための手段】
【００１４】
上述の目的を達成すべく本発明における第１の手段は、収容箱Ｐの底部Ｐ１に載置する載置片１と、該載置片１の隣接する一対の側縁部から立ち上がる一対の支持片２とで枠体状に形成され、収容箱Ｐの底部Ｐ１に載置した載置片１の上部に収納物Ｑを載置すると共に、平面Ｌ字状を成した一対の支持片２で収納物Ｑの側面Ｑ２を支持するように構成したことにある。
【００１５】
第２の手段は、前記載置片１と前記支持片２との配置位置を変更自在に設けると共に、変更後の支持片２の高さが変更自在になるように構成している。
【００１６】
第３の手段は、前記倒れ防止具は紙材を折りたたんで形成され、又は合成樹脂材で一体に形成され、前記収容箱Ｐの底部Ｐ１に接着自在な固定具で固定されるように構成している。
【００１７】
第４の手段は、前記倒れ防止具は台紙１０を折りたたんで形成され、該台紙１０は、折曲部１１を介して折り曲げ自在に設けられた横の長さが異なる左右一対の支持片２と、各支持片２の下側縁部に設けられた折曲縁１２から屈曲自在に延長された左右一対の載置片１とで形成され、該載置片１を重ねたときに係合する切欠係合部１３を各載置片１に形成したものである。
【発明の効果】
【００１８】
本発明の請求項１のように、収容箱Ｐの底部Ｐ１に載置した載置片１の上部に収納物Ｑを載置すると共に、平面Ｌ字状を成した一対の支持片２で収納物Ｑの側面Ｑ２を支持するように構成したことにより、極めて簡単にケーキ等の横倒れを防止することができる。更に、載置片１と平面Ｌ字状を成した一対の支持片２との三面で収納物Ｑを支持するので、収納物Ｑの形状やサイズが異なっても、収納物Ｑの側面部を簡単且つ確実に支持することができる。しかも、従来のケーキスペーサーやケーキガードなどと比べて、コンパクトな使用が可能になり、収容箱Ｐの収納スペースを有効活用しながら収容箱Ｐの中で自由に配置できるので、収納物Ｑのサイズや数に応じて合理的な配置が可能になる。
【００１９】
請求項２のごとく、載置片１と支持片２との配置位置を変更自在に設けると共に、変更後の支持片２の高さが変更自在になるように構成したことで、収納物Ｑの高さに合わせて支持片２の高さも変更することが可能になる。しかも、収納物Ｑの側面から底部にかけて支持する構造なので、ケーキの周囲全面を囲んで保持するケーキガードのように、ケーキの装飾が隠れてしまう不都合も解消される。
【００２０】
請求項３のように、本発明倒れ防止具は、紙材を折りたたんで形成する他、合成樹脂材で一体に形成することができるので、用途に応じて各種の形状にすることが可能である。しかも、収容箱Ｐの底部Ｐ１に接着自在な固定具で固定するように構成すると、高い固定力が得られるものである。
【００２１】
請求項４のごとく、台紙１０を折りたたんで形成し、折曲部１１を介して折り曲げ自在に設けられた横の長さが異なる左右一対の支持片２と、各支持片２の下側縁部に設けられた折曲縁１２から屈曲自在に延長された左右一対の載置片１とで形成され、載置片１を重ねたときに係合する切欠係合部１３を各載置片１に形成する構成により、台紙１０の面を変更することで、支持片２の左右の向きを変えることも可能になる。したがって、収納物Ｑを支持する際に、この支持片２の向きを最適な向きに選択することが可能になる。また、不使用時には、台紙１０を展開した状態にでき、また、予め枠体状に形成しておいても重ねて収納できるのでコンパクトな収納が可能になる。
【００２２】
このように本発明によると、極めて簡単な作業でケーキ等の横倒れを確実に防止し、しかも、任意の収納物Ｑを必要な数だけ収容箱Ｐに収納できるなどといった当初の目的を達成した。
【図面の簡単な説明】
【００２３】
【図１】本発明倒れ防止具の配置例を示す斜視図である。
【図２】本発明倒れ防止具の配置例を示す平面図である。
【図３】（イ）は本発明台紙を示す展開図、（ロ）は組立て斜視図である。
【図４】（イ）は図３の台紙の面を変えた展開図、（ロ）は組立て斜視図である。
【図５】（イ）、（ロ）は本発明倒れ防止具の他の実施例を示す斜視図である。
【図６】本発明防止具を使用した収容箱の一実施例を示す斜視図である。
【発明を実施するための形態】
【００２４】
本発明は、載置片１と一対の支持片２とで枠体状に構成され、収容箱Ｐに収納したケーキ等の横倒れを防止する倒れ防止具である。
【００２５】
載置片１は、収容箱Ｐの底部Ｐ１に載置する部位であり、基本的に矩形状を成している。一方、支持片２は、載置片１の隣接する一対の側縁部から立ち上がる一対の部位である。本発明倒れ防止具は、これら１個の載置片１と２個の支持片２とで全体に枠体状に形成されている。そして、載置片１の上に収納物Ｑを載置すると共に、平面Ｌ字状を成した一対の支持片２で収納物Ｑの側面Ｑ２を支持するものである（図１参照）。
【００２６】
これら載置片１と支持片２は、配置位置を変更自在に設けある。すなわち、載置片１を支持片２の位置に変更して配置することができる（図１、図２参照）。この場合、左右の支持片２のいずれか一方が載置片１の位置、すなわち底部Ｐ１に重ねて配置することになる。更に、載置片１と支持片２との配置位置を変更したときに、元の支持片２の高さと変更後の支持片２の高さとにおいても変更可能になるように構成している（図５（イ）、（ロ）参照）。
【００２７】
図示例では、載置片１と一方の支持片２とを長方形状に形成し、他方の支持片２を略正方形状に形成したものである（図５（イ）参照）。そうすると、長方形状の載置片１や支持片２を収容箱Ｐの底部Ｐ１に載置した場合は、支持片２の高さが低い状態になる（同図（イ）参照）。また、載置片１と支持片２の配置位置を変更し、略正方形状の支持片２を底部Ｐ１に載置して載置片１として使用する場合は、元の支持片２より変更後の支持片２の高さが高くなる（同図（ロ）参照）。
【００２８】
しかも、載置片１の上に載せた収納物Ｑの側面を平面Ｌ字形状の支持片２で支持するので、収納物Ｑの底部が円形の場合でも、収納物Ｑの側面を２点でしっかり支持することができる（図５（イ）参照）。また、高い支持片２を選択することで、例えばミルフィーユケーキのような倒れやすい収納物Ｑでも確実に支持することが可能になる（同図（ロ）参照）。尚、図５に示す本発明倒れ防止具は、合成樹脂材で一体成形することが可能である。
【００２９】
このように、載置片１と支持片２との配置位置を変更自在に設けると共に、変更後の支持片２の高さが変更自在になるように構成することで、収納物Ｑの高さや形状に合わせて使用することができる。また、１個の収納物Ｑに対して、本発明倒れ防止具を複数個使用すると、より確実に横倒れを防止する。
【００３０】
また、本発明倒れ防止具は、紙材を折りたたんで形成することも可能である。図３及び図４は、本発明倒れ防止具を台紙１０で形成する実施例を示している。すなわち、各図（イ）は、台紙１０の展開図を示し、各図（ロ）は、組立て状態を示している。
【００３１】
台紙１０は、折曲部１１を介して折り曲げ自在に設けられ横の長さが異なる左右一対の支持片２と、各支持片２の下側縁部に設けられた折曲縁１２から屈曲自在に延長された左右一対の載置片１とを形成している（図３（イ）参照）。そして、左右の載置片１を重ねたときに係合する切欠係合部１３を各載置片１に形成したものである（同図（ロ）参照）。
【００３２】
図示の切欠係合部１３は、左右の載置片１相互が隣接する部分を円弧状にした近傍に形成している（図３（イ）参照）。そして、一方の載置片１に鉤形状の切欠係止突起１３Ａを形成すると共に、他方の載置片１にスリット状の切欠係合部１３Ｂを形成したものである。そして、切欠係合部１３Ｂに切欠係止突起１３Ａを係合すると左右の載置片１が一体になって枠体状の倒れ防止具が形成される（同図（ロ）参照）。
【００３３】
図３（イ）に示す台紙１０の折曲部１１を手前に折りたたむと、左側が広い状態の載置片１が形成される（図３（ロ）参照）。このとき、台紙１０の面を変更することで、支持片２の左右の向きを変えることも可能になる。すなわち、図４は、図３に示す台紙１０を裏返しにした状態を示している。そして、図４（イ）の折曲部１１を手前に折りたたむと、右側が広い状態の載置片１が形成される（図４（ロ）参照）。
【００３４】
更に、本発明倒れ防止具を、収容箱Ｐの底部Ｐ１に接着自在な固定具（図示せず）で固定されるように構成することも可能である。この固定具として、例えば粘着テープや両面接着テープ等の接着テープ類、あるいは、予め載置片１や支持片２に接着しておく剥離紙付きの接着シールなど、従来周知の固定具の使用ができる。また、本発明倒れ防止具を使用する用途として、例えばケーキ収納用の収容箱Ｐ（図６参照）の他、他の菓子類や食品等の倒れ防止具としても使用することができる。
【００３５】
尚、本発明の各工程は実施例に限定されるものではなく、載置片１や支持片２の寸法や形状、本発明を製造する材質などは、本発明の要旨を変更しない範囲で任意に変更することが可能である。また、収容箱Ｐや支持する収納物Ｑはケーキ用に限られるものではなく、各種の収容箱Ｐ内に収納した各種の収納物Ｑの倒れ防止具として使用することができる。
【符号の説明】
【００３６】
Ｐ  収容箱
Ｐ１  底部
Ｑ  収納物
Ｑ１  底部
Ｑ２  側面
１  載置片
２  支持片
１０  台紙
１１  折曲部
１２  折曲縁
１３  切欠係合部
【図１】
2019182485.tif 000003
【図２】
2019182485.tif 000004
【図３】
2019182485.tif 000005
【図４】
2019182485.tif 000006
【図５】
2019182485.tif 000007
【図６】
2019182485.tif 000008
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
収容箱の底部に載置する載置片と、該載置片の隣接する一対の側縁部から立ち上がる一対の支持片とで枠体状に形成され、収容箱の底部に載置した載置片の上部に収納物を載置すると共に、平面Ｌ字状を成した一対の支持片で収納物の側面を支持するように構成した食品の倒れ防止具であって、該倒れ防止具は、折曲部を介して折り曲げ自在に設けられた横の長さが異なる左右一対の支持片と、各支持片の下側縁部に設けられた折曲縁から屈曲自在に延長された左右一対の載置片１とを形成した台紙を折りたたんで形成され、該載置片を重ねたときに係合する切欠係合部を各載置片に形成し、載置片と支持片との配置位置を変更すると変更後の支持片の高さが変更されるように構成したことを特徴とする倒れ防止具。
【手続補正２】
【補正対象書類名】明細書
【補正対象項目名】００１４
【補正方法】変更
【補正の内容】
【００１４】  上述の目的を達成すべく本発明における第１の手段は、収容箱Ｐの底部Ｐ１に載置する載置片１と、該載置片１の隣接する一対の側縁部から立ち上がる一対の支持片２とで枠体状に形成され、収容箱Ｐの底部Ｐ１に載置した載置片１の上部に収納物Ｑを載置すると共に、平面Ｌ字状を成した一対の支持片２で収納物Ｑの側面Ｑ２を支持するように構成した食品の倒れ防止具であって、該倒れ防止具は、折曲部１１を介して折り曲げ自在に設けられた横の長さが異なる左右一対の支持片２と、各支持片２の下側縁部に設けられた折曲縁１２から屈曲自在に延長された左右一対の載置片１とを形成した台紙１０を折りたたんで形成され、該載置片１を重ねたときに係合する切欠係合部１３を各載置片１に形成し、載置片１と支持片２との配置位置を変更すると変更後の支持片２の高さが変更されるように構成したことにある。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１９
【補正方法】変更
【補正の内容】
【００１９】 載置片１と支持片２との配置位置を変更すると変更後の支持片２の高さが変更されるように構成したことで、収納物Ｑの高さに合わせて支持片２の高さも変更することが可能になる。しかも、収納物Ｑの側面から底部にかけて支持する構造なので、ケーキの周囲全面を囲んで保持するケーキガードのように、ケーキの装飾が隠れてしまう不都合も解消される。
【手続補正７】
【補正対象書類名】明細書
【補正対象項目名】００２０
【補正方法】変更
【補正の内容】
【００２０】  本発明倒れ防止具は、紙材を折りたたんで形成することができるので、用途に応じて各種の形状にすることが可能である。
【手続補正８】
【補正対象書類名】明細書
【補正対象項目名】００２１
【補正方法】変更
【補正の内容】
【００２１】  台紙１０を折りたたんで形成し、折曲部１１を介して折り曲げ自在に設けられた横の長さが異なる左右一対の支持片２と、各支持片２の下側縁部に設けられた折曲縁１２から屈曲自在に延長された左右一対の載置片１とで形成され、載置片１を重ねたときに係合する切欠係合部１３を各載置片１に形成する構成により、台紙１０の面を変更することで、支持片２の左右の向きを変えることも可能になる。したがって、収納物Ｑを支持する際に、この支持片２の向きを最適な向きに選択することが可能になる。また、不使用時には、台紙１０を展開した状態にでき、また、予め枠体状に形成しておいても重ねて収納できるのでコンパクトな収納が可能になる。
【手続補正９】
【補正対象書類名】明細書
【補正対象項目名】００２３
【補正方法】変更
【補正の内容】
【００２３】
【図１】本発明倒れ防止具の配置例を示す斜視図である。
【図２】本発明倒れ防止具の配置例を示す平面図である。
【図３】（イ）は本発明台紙を示す展開図、（ロ）は組立て斜視図である。
【図４】（イ）は図３の台紙の面を変えた展開図、（ロ）は組立て斜視図である。
【図５】（イ）、（ロ）は倒れ防止具の参考例を示す斜視図である。
【図６】本発明防止具を使用した収容箱の一実施例を示す斜視図である。
【手続補正１０】
【補正対象書類名】明細書
【補正対象項目名】００２８
【補正方法】変更
【補正の内容】
【００２８】  しかも、載置片１の上に載せた収納物Ｑの側面を平面Ｌ字形状の支持片２で支持するので、収納物Ｑの底部が円形の場合でも、収納物Ｑの側面を２点でしっかり支持することができる（図５（イ）参照）。また、高い支持片２を選択することで、例えばミルフィーユケーキのような倒れやすい収納物Ｑでも確実に支持することが可能になる（同図（ロ）参照）。尚、図５に示す倒れ防止具は、合成樹脂材で一体成形した参考例である。
【手続補正書】
【提出日】平成30年11月6日(2018.11.6)
【手続補正１】
【補正対象書類名】特許請求の範囲
【補正対象項目名】請求項１
【補正方法】変更
【補正の内容】
【請求項１】
収容箱の底部に載置する載置片と、該載置片の隣接する一対の側縁部から立ち上がる一対の支持片とで枠体状に形成され、収容箱の底部に載置した載置片の上部に収納物のケーキを載置すると共に、平面Ｌ字状を成した一対の支持片で収納物の側面を支持するように構成したケーキの倒れ防止具であって、
該倒れ防止具は、折曲部を介して折り曲げ自在に設けられた横の長さが異なる左右一対の支持片と、各支持片の下側縁部に設けられた折曲縁から屈曲自在に延長された左右一対の載置片とを形成した台紙を折りたたんで形成され、該載置片を重ねたときに係合する切欠係合部を各載置片に形成し、
該切欠係合部は、一方の載置片に鉤形状の切欠係止突起を形成すると共に他方の載置片にスリット状の切欠係合部を形成して係合時の台紙の面を変更自在に設け、
台紙の面を変更すると支持片の左右の向きが変更され、載置片と支持片との配置位置を変更すると変更後の支持片の高さが変更されるように構成したことを特徴とする倒れ防止具。
【手続補正２】
【補正対象書類名】明細書
【補正対象項目名】００１４
【補正方法】変更
【補正の内容】
【００１４】
上述の目的を達成すべく本発明における第１の手段は、収容箱Ｐの底部Ｐ１に載置する載置片１と、該載置片１の隣接する一対の側縁部から立ち上がる一対の支持片２とで枠体状に形成され、収容箱Ｐの底部Ｐ１に載置した載置片１の上部に収納物Ｑのケーキを載置すると共に、平面Ｌ字状を成した一対の支持片２で収納物Ｑの側面Ｑ２を支持するように構成したケーキの倒れ防止具であって、該倒れ防止具は、折曲部１１を介して折り曲げ自在に設けられた横の長さが異なる左右一対の支持片２と、各支持片２の下側縁部に設けられた折曲縁１２から屈曲自在に延長された左右一対の載置片１とを形成した台紙１０を折りたたんで形成され、該載置片１を重ねたときに係合する切欠係合部１３を各載置片１に形成し、
該切欠係合部１３は、一方の載置片１に鉤形状の切欠係止突起１３Ａを形成すると共に他方の載置片１にスリット状の切欠係合部１３Ｂを形成して係合時の台紙１０の面を変更自在に設け、
台紙１０の面を変更すると支持片２の左右の向きが変更され、載置片１と支持片２との配置位置を変更すると変更後の支持片２の高さが変更されるように構成したことにある。